(57)【要約】【課題】  車外の環境に影響を及ぼすことなく馬匹収容部内の衛生状態を長時間良好に保つことを可能にした馬匹輸送車を提供することにある。【解決手段】  馬匹収納部４と、馬匹収納部４の床面に敷設されるマット９と、マット９上に散水する散水管１０と、この散水管１０に給水する給水タンク及び給水ホースと、マット９上の水を排水する排水口１５と、排水された水を貯水する排水タンク及び排水管と、が設けられている。この馬匹輸送車では、馬匹収容部４にマット９を敷き、その上に散水管１０から散水し、その水を排水タンクに貯水している。これにより、マット９上の尿を残さず洗い流すことができるだけでなく細かいゴミ等も洗い流すことができる。【選択図】  図２
2014159214.tif 000002
【特許請求の範囲】
【請求項１】
馬を収容する馬匹収納部を有する馬匹輸送車であって、
前記馬匹収納部の床面に敷設されるマットと、
該マット上に散水する散水管と、
該散水管に給水する給水タンクと、
該給水タンクと前記散水管とを連通する給水ホースと、
前記馬匹収容部の床面隅に設けられて前記散水管から散水された水を排水する排水口と、
該排水口から排水された水を貯水する排水タンクと、
該排水タンクと前記排水口を連通する排水管と、
を備えることを特徴とする馬匹輸送車。
【請求項２】
前記マットは弾性材からなり、外周に立上部を有し、前記排水口の方向のみ立上部が設けられずに開放されている請求項１に記載の馬匹輸送車。
【請求項３】
前記マットは、馬の胴体の後部略半分に対応する位置に配置される請求項１又は２に記載の馬匹輸送車。
【請求項４】
前記排水口は、馬匹輸送車の一方の側方近傍に配置され、前記排水タンクは、馬匹輸送車の他方の側方近傍に配置されている請求項１に記載の馬匹輸送車。
【請求項５】
前記馬匹収容部は、着脱及び開閉可能な仕切壁により仕切られて形成され、前記散水管は前記仕切壁の下部に設置されている請求項１に記載の馬匹輸送車。
【請求項６】
前記散水管には複数の小孔が設けられ、前記排水口が設けられている方向に向かって小孔からマット上に向けて散水される請求項１又は５に記載の馬匹輸送車。
【請求項７】
前記馬匹収容部の後方を仕切る仕切壁の下部には開閉可能な窓部が設けられている請求項５に記載の馬匹輸送車。
【発明の詳細な説明】
【技術分野】
【０００１】
本発明は、競走馬等を輸送する馬匹輸送車に関するものであり、特に、車外の環境に影響を及ぼすことなく車内の衛生状態を長時間良好に保つものに関する。
【背景技術】
【０００２】
従来、馬を輸送する馬匹輸送車は、トラックの箱状荷台部分に数頭の馬を収容することが可能な馬匹収容部を備えたものであった。この馬匹収容部は、荷台内部を仕切壁で仕切ることにより、一頭ずつ収容するように構成されている。
【０００３】
一方、馬の輸送には長時間かかることが多く、輸送中の糞尿により馬匹収容部内の衛生状態が悪化することがある。このため、従来にあっては、尿をそのまま車外に垂れ流すか、又は特許文献１に示されているように、車載した排水タンクに尿を貯留することで、馬匹収容部内の衛生状態の悪化を防ぐことが行われていた。
【先行技術文献】
【特許文献】
【０００４】
【特許文献１】特開平１１−２８６２３６号公報
【発明の概要】
【発明が解決しようとする課題】
【０００５】
しかし、特許文献１に記載された技術では、馬匹収容部内に溜まった尿を排水タンクに流すだけなので、馬匹収容部内の尿を十分に洗い流すことができず、長時間の輸送中に馬匹収容部内の衛生状態が悪化することがあった。
【０００６】
本発明が解決しようとする課題は、上記従来技術の問題点を解決し、車外の環境に影響を及ぼすことなく馬匹収容部内の衛生状態を長時間良好に保つことを可能にした馬匹輸送車を提供することにある。
【課題を解決するための手段】
【０００７】
本発明の馬匹収容車は、馬を収容する馬匹収納部を有する馬匹輸送車であって、前記馬匹収納部の床面に敷設されるマットと、該マット上に散水する散水管と、該散水管に給水する給水タンクと、該給水タンクと前記散水管を連通する給水ホースと、前記馬匹収容部の床面隅に設けられて前記散水管から散水された水を排水する排水口と、該排水口から排水された水を貯水する排水タンクと、該排水タンクと前記排水口を連通する排水管と、を備えており、馬匹収容部内のマット上に散水して尿等を洗い流すものである。
【０００８】
また、上記馬匹輸送車における前記マットは弾性材からなり、外周に立上部を有し、前記排水口の方向のみ立上部が設けられずに開放されたものとなっている。また、馬の胴体の後部略半分に対応する位置に配置されて、水の広がりを抑えて排水方向を定めるものとなっている。
【０００９】
また、上記馬匹輸送車における前記排水口は、馬匹輸送車の一方の側方近傍に配置され、前記排水タンクは、馬匹輸送車の他方の側方近傍に配置されて、両者間の距離が大きくなっている。
【００１０】
また、上記馬匹輸送車における前記馬匹収容部は、着脱及び開閉可能な仕切壁により仕切られて形成され、前記散水管は前記仕切壁の下部に設置されていて、仕切壁と共に着脱及び開閉可能となっている。また、前記散水管は前記排水口が設けられている方向に向かって散水するものとなっている。
【００１１】
また、上記馬匹輸送車における前記排水口は、前記マットの外側に沿って設けられた排水溝に設けられている。
【００１２】
また、上記馬匹輸送車の前記馬匹収容部の後方を仕切る仕切壁の下部には、糞等を取り除く際に使用する開閉可能な窓部が設けられている。
【発明の効果】
【００１３】
本発明の馬匹輸送車では、馬匹収容部にマットを敷き、その上に散水管から散水し、その水を排水タンクに貯水している。これにより、マット上の尿を残さず洗い流すことができるだけでなく細かいゴミ等も洗い流すことができ、馬匹収容部内の衛生状態を長時間良好な状態に保つことができる。
【００１４】
また、マットに立上部を設けて水が流れる方向を規制すると共に馬の胴体の後部略半分に対応する位置にマットを配置しているので、必要以上に馬匹収容部内に散水して水を無駄に使用したり、馬匹収容部の内外を濡らしてしまうことがなく、効率よく洗い流すことができる。
【００１５】
また、排水口と排水タンクを車両の相対する側方に配置しているので、それらの間の距離が大きくなり、それらを繋ぐ排水管の傾斜を確保し易くすることができる。
【００１６】
また、散水管を仕切壁に設置しているので、仕切壁と共に着脱及び開閉させることができ、馬匹収容部及びその周辺の床面をフラットな状態にすることができる。これにより、馬の出入り及びその作業を容易にすることができる。
【００１７】
また、排水口が設けられている方向に散水しているので、水の流れが滞ることがなく、少量の水でも速やかに洗い流すことができる。
【００１８】
また、馬匹収容部の後方を仕切る仕切壁に開閉可能な窓部を設けているので、仕切壁を開けることなく糞などの排泄物や大きいゴミなどを窓部から除去することができる。
【図面の簡単な説明】
【００１９】
【図１】本発明の一実施例に係る馬匹輸送車を示す内部透視斜視図である。
【図２】図１に示す馬匹収容部の一つを示す斜視図である。
【図３】図１に示す馬匹輸送車の馬匹収容部の平面図である。
【図４】図１に示す馬匹収容部における散水管、給水タンク及び給水ホースの配置を示す平面図である。
【図５】図１に示す馬匹収容部における排水口、排水管及び貯水タンクの配置を示す平面図である。
【図６】図１に示す馬匹収容部における散水と排水の流れを示す要部断面図である。
【図７】図２に示す馬匹収容部の仕切壁における窓部を示す正面図である。
【図８】図１に示す馬匹輸送車の荷台の側壁を開いた状態を示す斜視図である。
【発明を実施するための形態】
【００２０】
図1は本発明の一実施例に係る馬匹輸送車を示す内部透視斜視図であり、図２はその馬匹輸送車の一つを示す斜視図である。図中、符号１は馬匹輸送車であり、運転室２の後部に箱状の荷台３を備えている。荷台３の内部には、後方の乗降口から出入りする４頭の馬を一頭ずつ収容することができる馬匹収容部４が設けられている。
【００２１】
この馬匹収容部４は、図１乃至図３に示すように、荷台３の床と天井との間に架設された前後の支柱５ａ，５ｂと、これらの支柱５ａ，５ｂに着脱及び開閉可能に取り付けられた側方仕切壁６及び後方仕切壁７とによって仕切られることにより形成されている。詳しくは、本実施例の馬匹収容部４は、馬匹輸送車１の進行方向に向いた馬を縦横に２頭ずつ並べて収容するため、馬の左右側の仕切りのうち、外側が荷台３の側壁３ａ（図８参照）の内側に配設された安全マット（図示せず）で仕切られ、内側が前記側方仕切壁６で仕切られている。また、馬の前方は荷台３の側壁間に着脱可能に架設されたバー８によって仕切られ、馬の後方は前記の後方仕切壁７によって仕切られている。
【００２２】
前記馬匹収容部４の床面には平面形状が矩形をなすマット９が敷かれている。このマット９は、ゴム等の弾性材からなり、馬が踏んでも問題がない１〜２ｍｍあるいは数ミリメートルの厚みを有している。また、このマット９の外周には、後述する排水口が設けられている方向を除く３方に縦壁としての立上部９ａが設けられている。この立上部９ａはマット９の周囲を立ち上げて形成したもので、馬の歩行に影響がない２ｃｍ程の高さに設定されており、馬が踏むと弾性変形することで馬及び立上部９ａの双方に影響がないものとなっている。本実施例におけるマット９は、馬の胴体の後部略半分に対応する位置に配置されている。
【００２３】
図２及び図４に示すように、馬の内側方を仕切る側方仕切壁６の下部には散水管１０が配管されている。この散水管１０には、水を噴出する複数の小孔１０ａが等間隔に設けられており、これらの小孔１０ａから噴出された水が馬匹収容部４の床面に配置されたマット９の立上部９ａを越えてマット９上に散水される。
【００２４】
図４において、符号１１は給水タンクであり、本実施例においては荷台３の前方に設置されている。１２は散水管１０と給水タンク１１とを連通する給水ホースである。この給水ホース１２は、散水管１０と給水タンク１１にそれぞれ着脱自在に取り付けられている。また、本実施例における給水ホース１２は、各散水管１０にそれぞれ対応する各開閉バルブ１３を介して給水タンク１１に取り付けられている。
【００２５】
また、図２乃至図６に示すように、馬匹収容部４の床面の外側方に沿って排水溝１４が設けられている。また、排水溝１４には数箇所に排水口１５が設けられている。この実施例では、排水口１５は各馬匹収容部４のマット９の外側方の位置に２つずつ設けられている。馬匹収容部４のマット９の上に垂れ流された馬の尿や、この尿を洗い流すために散水管１０の小孔１０ａからマット９上に散水された水が排水溝１４に流れ込み、さらに排水口１５から後述する排水管を介して排水タンクに溜まる。
【００２６】
荷台３の床面下には前記排水口１５に流入した排水を導くための排水管が配管されている。この排水管は、図５及び図６に示すように、馬匹輸送車１の中央部において前後方向に延びる２本の排水本管１６ａ，６ｂと、この排水本管１６ａ，１６ｂと各排水口１５とを繋ぐ排水枝管１７ａ，１７ｂとで構成されている。また、荷台３後部の床面下にはそれぞれの排水本管１６ａ，１６ｂから繋がる一対の排水タンク１８ａ，１８ｂが設置されている。したがって、排水溝１４から排水口１５に流入した排水は、排水枝管１７ａ，１７ｂを介して排水本管１６ａ，１６ｂに流れ込み、さらに排水本管１６ａ，１６ｂとそれぞれ連通する排水タンク１８ａ，１８ｂに一時的に溜まる。
【００２７】
図５に示したように、本実施例における排水本管１６ａ，１６ｂは荷台３の後部側で交差して配管され、左右反対側に設置された排水タンク１８ａ，１８ｂにそれぞれ接続されている。このように、排水本管１６ａ，１６ｂを荷台３の後部側で交差させることによって、排水本管１６ａ，１６ｂと排水タンク１８ａ，１８ｂとの間の傾斜角度を無理なく稼ぐことができ、排水本管１６ａ，１６ｂに排水が滞留することなくスムーズに排水タンク１８ａ，１８ｂ内へ排水することができる。
【００２８】
次に、上記構成からなる馬匹輸送車１において、馬匹収容部４内の洗浄方法を説明する。まず、馬匹輸送車１に馬を載せる場合には、荷台３後方の扉を開いてスロープを作り、馬を一頭ずつ馬匹収容部４に収容する。その際、図３に示したように、側方仕切壁６や後方仕切壁７を開き、また必要に応じて取り外すことで収容作業が容易となる。なお、散水管１０は側方仕切壁６と一緒に動くので、邪魔にならないように給水ホース１２は散水管１０から予め取り外しておいた方が作業がし易くなる。このようにしておけば、馬匹収容部４内及びその周辺における床面には馬の歩行や作業を妨げるものがなくなる。
【００２９】
上記のように馬を馬匹収容部４内に収容して、側方仕切壁６及び後方仕切壁７を閉じることで散水管１０が所定の位置に配設され、排水管１０の小孔１０ａがマット９に対応する位置に配置される。このマット９は、予め排水口１４の方向に立上部９ａがない開放部分が位置するように床に敷かれており、このマット９上に馬の胴体の後部略半分が位置することになる。
【００３０】
この状態において、給水タンク１１から給水ホース１２を介して散水管１０に水を供給すると、図２，４及び６に示すように、散水管１０の複数の小孔１０ａから水が噴出する。噴出した水は、マット９の立上部９ａを越えてマット９の略中央部に向けて散水される。したがって、マット９上に垂れ流された馬の尿は、マット９上に散水された水と共に洗い流されるため、マット９上を常に清潔に保つことができる。馬の尿と共にマット９上を流れる水は、マット９の周囲に設けられた立上部９ａによって排水溝１４に導かれ、さらに排水口１５へと導かれるため、マット９以外の床面部分を汚すことがない。
【００３１】
上記散水管１０からマット９上に散水するタイミングは、馬が尿をしていると同時か、もしくは尿をした直後が望ましい。本実施例では馬匹収容部４内の様子を映す監視カメラ及びモニターを運転室２に設けておき、走行中の馬の様子を常に監視することで、最適のタイミングで散水することができる。散水する場合には運転室２に設けたスイッチ操作で給水タンク１１の開閉バルブ１３を開くことでマット９上への散水が可能である。従って、馬匹輸送車１の走行中であっても何等問題なくマット９上の洗浄を行なうことができるので、長時間の輸送であっても常時良好な衛生状態を保つことが可能となる。
【００３２】
本実施例において、馬匹収容部４の後方を仕切る後方仕切壁７には、図２及び７に示すように、その中央下部に開閉可能な扉の付いた窓部１９が設けられている。馬の糞などの排泄物やその他洗い流せないゴミは、馬匹輸送車１の休憩時などを利用して、この窓部１９から除去することで、後方仕切壁７を開くことなく馬匹収容部４内の清掃が可能であり、馬匹収容部４内を清潔に保つことができる。
【００３３】
また、馬匹輸送車１の休憩時や輸送終了時に馬匹収容部４や荷台３全体を洗浄したり清掃する場合には、図８に示すように、荷台３の側壁３ａが上方に開くウィングタイプの荷台３であれば馬匹収容部４の換気やマット９及びその周辺を容易に乾燥させることが可能となる。なお、図８における符号２０は、側壁３ａの内側に設けられた網状の囲いであり、この囲い及び天井等に馬のケガを防ぐための安全マット（図示せず）が必要に応じて取り付けられる。
【符号の説明】
【００３４】
１  馬匹輸送車
２  運転室
３  荷台
３ａ  荷台の側壁
４  馬匹収容部
５ａ，５ｂ  支柱
６  側方仕切壁
７  後方仕切壁
８  バー
９  マット
９ａ  立上部
１０  散水管
１０ａ  小孔
１１  給水タンク
１２  給水ホース
１３  開閉バルブ
１４  排水溝
１５  排水口
１６ａ，１６ｂ  排水本管
１７ａ，１７ｂ  排水枝管
１８ａ，１８ｂ  排水タンク
１９  窓部
２０  網状の囲い
【図１】
2014159214.tif 000003
【図２】
2014159214.tif 000004
【図３】
2014159214.tif 000005
【図４】
2014159214.tif 000006
【図５】
2014159214.tif 000007
【図６】
2014159214.tif 000008
【図７】
2014159214.tif 000009
【図８】
2014159214.tif 000010